(57)【要約】【課題】一部に繊維強化樹脂を用いた、軽量でスイングし易いフェアウェーウッドゴルフクラブヘッドを提供する。【解決手段】フェース部２、ソール部３、サイド部４、クラウン部５及びホゼル部６を有する中空のゴルフクラブヘッドにおいて、該クラウン部の主要部が繊維強化樹脂製（ＦＲＰ体３０）であり、少なくともフェース部と、該フェース部に連なるクラウン部の前縁部とが金属製（金属体１０）である。ＦＲＰ体３０の重量はゴルフクラブヘッド１の重量の６〜３０％である。ロフト角は１４〜２５°であり、ヘッド体積は１００〜２３０ｃｃである。ソール部に第１、第２のウェイト材２１，２２が設けられている。トウ側のサイド部のＦＲＰ体３０内に第３のウェイト材２３が埋設されている。【選択図】図７
2006130065.tif 000002
【特許請求の範囲】
【請求項１】
フェース部、ソール部、サイド部、クラウン部及びホゼル部を有する中空のゴルフクラブヘッドにおいて、
該クラウン部の主要部が繊維強化樹脂製であり、
少なくともフェース部と、該フェース部に連なる、クラウン部の前縁部と、ソール部の少なくともトウ・ヒール方向の中央部とが金属製であり、
ロフト角が１４〜２５°であり、
ヘッド体積が１００〜２３０ｃｃであり、
該繊維強化樹脂製部分の重量がゴルフクラブヘッドの重量の６〜３０％であることを特徴とするゴルフクラブヘッド。
【請求項２】
請求項１において、前記サイド部の前縁部と前記ソール部の前縁部とが前記フェース部に連なる金属製であり、
前記ソール部の金属製部分はゴルフクラブヘッドの後面部にまで延在しており、その後部に高比重材料よりなる第１のウェイト材が設けられていることを特徴とするゴルフクラブヘッド。
【請求項３】
請求項２において、該第１のウェイト材の重量がゴルフクラブヘッドの重量の１０〜２５％であることを特徴とするゴルフクラブヘッド。
【請求項４】
請求項２又は３において、該第１のウェイト材のソール面側が金属又は樹脂で覆われていることを特徴とするゴルフクラブヘッド。
【請求項５】
請求項２ないし４のいずれか１項において、該ソール部の金属製部分の内面であって、該第１のウェイト材よりも前方部分であり、且つトウ・ヒール方向の中間よりもトウ側の部分に、高比重材料よりなる第２のウェイト材が設けられていることを特徴とするゴルフクラブヘッド。
【請求項６】
請求項２ないし４のいずれか１項において、トウ側の繊維強化樹脂部分の内部に、又は該繊維強化樹脂部分に接するように、高比重材料よりなる第３のウェイト材が設けられていることを特徴とするゴルフクラブヘッド。
【請求項７】
請求項６において、該第３のウェイト材は薄板状であり、トウ側の該サイド部を構成する繊維強化樹脂内に埋設されていることを特徴とするゴルフクラブヘッド。
【請求項８】
請求項７において、該第３のウェイト材は、全比重金属の粉末を含有したゴム又は合成樹脂よりなることを特徴とするゴルフクラブヘッド。
【請求項９】
請求項１ないし８のいずれか１項において、ゴルフクラブヘッドを構成する金属製部分は、フェース部が鍛造又はプレス成形により製造されたフェースプレートよりなり、その他の部分が鋳造品よりなり、該フェースプレートが該鋳造品に対し固着されていることを特徴とするゴルフクラブヘッド。
【請求項１０】
請求項９において、該フェースプレートの中央部付近の厚さが周縁部の厚さよりも大きいことを特徴とするゴルフクラブヘッド。
【請求項１１】
請求項１ないし１０のいずれか１項において、該ゴルフクラブヘッドの重量が２１５〜２４０ｇであることを特徴とするゴルフクラブヘッド。
【発明の詳細な説明】
【技術分野】
【０００１】
本発明は、中空ゴルフクラブヘッドに係り、特にフェアウェーウッド型又はそれに近似した形状のゴルフクラブヘッドに関するものである。
【背景技術】
【０００２】
ドライバーやフェアウェーウッドなどのウッド型ゴルフクラブヘッドとして、中空の金属製のものが広く用いられている。一般に、中空のウッド型のゴルフクラブヘッドは、ボールをヒットするためのフェース部と、ゴルフクラブヘッドの上面部を構成するクラウン部と、ゴルフクラブヘッドの底面部を構成するソール部と、ゴルフクラブヘッドのトウ側、リヤ側及びヒール側の側面部を構成するサイド部と、ホゼル部とを有している。このホゼル部にシャフトが挿入され、接着剤等によって固定される。なお、最近では、ユーティリティクラブと称されるゴルフクラブも多く市販されており、このユーティリティゴルフクラブの１種として、上記ウッド型ゴルフクラブヘッドに類似した（即ち、フェース部、ソール部、サイド部及びクラウン部並びにホゼル部を有した）ヘッドを有するゴルフクラブも各種市販されている。
【０００３】
この中空ゴルフクラブヘッドを構成する金属としては、アルミニウム合金、ステンレスやチタン合金が用いられているが、近年は特にチタン合金が広く用いられている。
【０００４】
中空ゴルフクラブヘッドの体積を大きくすることにより、スイートスポットを拡大することが可能となる。体積を大きくすることに伴うゴルフクラブヘッドの重量増加を防ぐために、ゴルフクラブヘッドの構成材として、上記金属よりもさらに比重が小さい繊維強化樹脂を採用することが考えられている。この場合、ボールをヒットするフェース面は、強度を確保するために金属製とする必要があるので、フェース部以外の部分を繊維強化樹脂製とすることになる。
【０００５】
特開２００４−１６６５４号には、クラウン部と、トウ側及びヒール側のサイド部とを炭素繊維強化熱硬化性樹脂（ＣＦＲＰ）製とし、ソール部の主要部とフェース部とを金属製とし、この金属製ソール部の後端部にウェイト材を固着したゴルフクラブヘッドが記載されている。
【特許文献１】特開２００４−１６６５４号
【発明の開示】
【発明が解決しようとする課題】
【０００６】
本発明は、上記特開２００４−１６６５４号のようにクラウン部と、トウ側及びヒール側のサイド部とを繊維強化熱硬化性樹脂製としたゴルフクラブヘッドにおいて、繊維強化樹脂製部分の重量が適正であるフェアウェーウッド型ゴルフクラブヘッドを提供することを目的とする。
【０００７】
また、本発明は、その一態様において、スイートエリアが広いゴルフクラブヘッドを提供することを目的とする。
【課題を解決するための手段】
【０００８】
本発明（請求項１）のゴルフクラブヘッドは、フェース部、ソール部、サイド部、クラウン部及びホゼル部を有する中空のゴルフクラブヘッドにおいて、該クラウン部の主要部が繊維強化樹脂製であり、少なくともフェース部と、該フェース部に連なる、クラウン部の前縁部と、ソール部の少なくともトウ・ヒール方向の中央部とが金属製であり、ロフト角が１４〜２５°であり、ヘッド体積が１００〜２３０ｃｃであり、該繊維強化樹脂製部分の重量がゴルフクラブヘッドの重量の６〜３０％であることを特徴とするものである。
【０００９】
請求項２のゴルフクラブヘッドは、請求項１において、前記サイド部の前縁部と前記ソール部の前縁部とが前記フェース部に連なる金属製であり、前記ソール部の金属製部分はゴルフクラブヘッドの後面部にまで延在しており、その後部に高比重材料よりなる第１のウェイト材が設けられていることを特徴とするものである。
【００１０】
請求項３のゴルフクラブヘッドは、請求項２において、該第１のウェイト材の重量がゴルフクラブヘッドの重量の１０〜２５％であることを特徴とするものである。
【００１１】
請求項４のゴルフクラブヘッドは、請求項２又は３において、該第１のウェイト材のソール面側が金属又は樹脂で覆われていることを特徴とするものである。
【００１２】
請求項５のゴルフクラブヘッドは、請求項２ないし４のいずれか１項において、該ソール部の金属製部分の内面であって、該第１のウェイト材よりも前方部分であり、且つトウ・ヒール方向の中間よりもトウ側の部分に、高比重材料よりなる第２のウェイト材が設けられていることを特徴とするものである。
【００１３】
請求項６のゴルフクラブヘッドは、請求項２ないし４のいずれか１項において、トウ側Ｎ高比重材料よりなる第３のウェイト材が設けられていることを特徴とするものである。
【００１４】
請求項７のゴルフクラブヘッドは、請求項６において、該第３のウェイト材は薄板状であり、トウ側の該サイド部を構成する繊維強化樹脂内に埋設されていることを特徴とするものである。
【００１５】
請求項８のゴルフクラブヘッドは、請求項７において、該第３のウェイト材は、全比重金属の粉末を含有したゴム又は合成樹脂よりなることを特徴とするものである。
【００１６】
請求項９のゴルフクラブヘッドは、請求項１ないし８のいずれか１項において、ゴルフクラブヘッドを構成する金属製部分は、フェース部が鍛造又はプレス成形により製造されたフェースプレートよりなり、その他の部分が鋳造品よりなり、該フェースプレートが該鋳造品に対し固着されていることを特徴とするものである。
【００１７】
請求項１０のゴルフクラブヘッドは、請求項９において、該フェースプレートの中央部付近の厚さが周縁部の厚さよりも大きいことを特徴とするものである。
【００１８】
請求項１１のゴルフクラブヘッドは、請求項１ないし１０のいずれか１項において、該ゴルフクラブヘッドの重量が２１５〜２４０ｇであることを特徴とするものである。
【発明の効果】
【００１９】
本発明のフェアウェーウッドのゴルフクラブヘッドにあっては、繊維強化樹脂製部分の重量が適正であり、スイングし易い。
【００２０】
請求項２，３のゴルフクラブヘッドにあっては、第１のウェイト材を後部に設けており、重心深度が大きい。
【００２１】
請求項４のゴルフクラブヘッドにあっては、この第１のウェイト材を金属又は樹脂で覆っているため、ソール部の美観を高めることができる。
【００２２】
請求項５のゴルフクラブヘッドにあっては、第２のウェイト材を設けているので、ゴルフクラブヘッドの重心や慣性モーメントの設計の自由度が高い。
【００２３】
請求項６〜８のゴルフクラブヘッドによると、第３のウェイト材をトウ側に配置しているので、ゴルフクラブヘッドのスイートエリアがトウ・ヒール方向に広いものとなる。
【００２４】
請求項７，８のゴルフクラブヘッドによると、ウェイト材を合成樹脂製のサイド部に対し強固に取り付けることができる。
【００２５】
請求項８のゴルフクラブヘッドによると、第３のウェイト材を容易にサイド部に沿う形状にすることができる。
【００２６】
請求項９，１０のゴルフクラブヘッドは、フェース部の反発性を高めることができる。
【００２７】
請求項１１のゴルフクラブヘッドは、フェアウェーウッドゴルフクラブヘッドとして重量が適正である。
【発明を実施するための最良の形態】
【００２８】
以下、図面を参照して実施の形態について説明する。第１図は実施の形態に係るフェアウェーウッド型ゴルフクラブヘッドの斜視図、第２図はこのゴルフクラブヘッドの金属体の前方からの斜視図、第３図（ａ），（ｂ）は金属体の後方からの斜視図、第４図は金属体のヒール側からの側面図、第５図は金属体の平面図、第６図（ａ）は金属体のソール側からの斜視図、第６図（ｂ），（ｃ）は第６図（ａ）のＢ−Ｂ線、Ｃ−Ｃ線断面図、第７図（ａ）はゴルフクラブヘッドのソール側からの斜視図、第７図（ｂ）は第７図（ａ）のＢ−Ｂ線断面図、第８図は第１図のVIII−VIII線断面図である。
【００２９】
このゴルフクラブヘッド１は、フェース部２、ソール部３、サイド部４、クラウン部５及びホゼル部６を有した中空フェアウェーウッド型ゴルフクラブヘッドである。
【００３０】
フェース部２はボールをヒットする面であり、図示はしないが溝（スコアライン）が設けられている。ソール部３はゴルフクラブヘッドの底面部を構成し、サイド部４はトウ側及びヒール側並びに後面側の側面部を構成している。クラウン部５はゴルフクラブヘッドの上面部を構成している。ホゼル部６には、シャフトが差し込まれ、接着剤により該シャフトが固着される。
【００３１】
このゴルフクラブヘッド１は金属体１０と、繊維強化樹脂体（以下、ＦＲＰ体という。）３０とからなる。
【００３２】
金属体１０は、フェース部２と、金属ソール部１３と、金属サイド部（トウ）１４と、金属クラウン部１５と、金属サイド部（ヒール）１６と、金属ソール部１３の前部のトウ側及びヒール側にそれぞれ設けられた凹所１７と、金属ソール部１３の後部に設けられた環状部１８と、ホゼル部６とを有する。
【００３３】
クラウン部５の前縁部を構成する金属クラウン部１５は、金属サイド部（トウ）１４及び金属サイド部（ヒール）１６とに連なっている。金属サイド部（トウ）１４及び金属サイド部（ヒール）１６はそれぞれ金属ソール部１３に連なっている。該金属クラウン部１５、金属サイド部１４，１６及び金属ソール部１３はフェース部２に連なっている。
【００３４】
金属ソール部１３の前部は、ゴルフクラブヘッドのトウ側からヒール側にまで跨る全幅状となっている。この金属ソール部１３は、該前部から後方に向って徐々に細幅となっている。金属ソール部１３の後部は、ゴルフクラブヘッドのトウ・ヒール方向の中央部に配置されている。
【００３５】
金属ソール部１３の後部は、斜め後方に立ち上がっている。この金属ソール部１３の後部に環状部１８が一体化されている。この環状部１８の内周面に雌ネジ（図示略）が設けられており、第７，８図の通り、高比重金属よりなるネジ状の第１のウェイト材２１が螺じ込みされている。金属ソール部１３には環状部１８を取り巻く第１の円環形凹部１８ａと、該円環形凹部１８ａを取り巻く第２の円環形凹部１８ｂとが設けられている。この第１の円環形凹部１８ａにアルミ製の円形プレート３６が無理嵌め等により嵌合固着されている。
【００３６】
図示は省略するが、フェース部２は鍛造又はプレス成形により形成されたフェースプレートにより構成されている。金属体１０のその他の部分は、鋳造により製造されている。この鋳造品は、フェース部が開口となっており、この開口にフェースプレートが嵌合され、カシメ、溶接などにより固着されている。
【００３７】
フェース部２は、その中央部が厚く、周縁部が薄い高反発の構成となっている。
【００３８】
ＦＲＰ体３０は、このゴルフクラブヘッド１の外面のその他の部分を構成している。即ち、ＦＲＰ体３０は、クラウン部５の略全体と、サイド部４の後半部と、ソール部３の金属ソール部１３以外の部分を構成する大きさを有している。
【００３９】
第７，８図に拡大して示されるように、ＦＲＰ体３０は、金属クラウン部１５及び金属サイド部１４（トウ、ヒール双方）の外面のほか、金属ソール部１３の縁部外面に密着している。
【００４０】
クラウン部にあっては、ＦＲＰ体３０は、金属クラウン部１５の上面の最前縁付近にまで延在している。サイド部のヒール側及びソール側にあっては、金属体１０に段差部１４ａ，１６ａが形成されており、ＦＲＰ体３０はこの段差部１４ａ，１６ａに達するように設けられている。なお、段差部１４ａ，１６ａはバック側の方が凹む段差となっている。この段差部１４ａ，１６ａは、金属ソール部１３の側縁に沿って後方に延在し、金属ソール部１３の後縁において互いにつながっている。
【００４１】
金属ソール部１３の内面（上面）には、第１のウェイト材２１よりも前方で、且つトウ・ヒール方向の中間よりもトウ側に、高比重金属よりなる第２のウェイト材２２が固着されている。この第２のウェイト材２２は、第３図（ａ）の如く溶接により強固に固着されるのが好ましいが、第３図（ｂ）のように金属ソール部１３から爪を立設し、この爪によって保持するようにしてもよい。この爪は、溶接棒を使って溶接金属より第２ウェイト材２２を囲い込んで固着したり、溶接棒の溶接金属によって金属ソール部１３に後付けにより形成されたものであってもよい。
【００４２】
ＦＲＰ体３０のうち、トウ側の側面には、第３のウェイト材２３が埋設されている。この第３のウェイト材２３は、高比重金属の粉末を含有したゴム又は合成樹脂よりなることが好ましい。特に、シャフト軸線より後方、かつフェースの中心よりトウ側に第２のウェイト材を配置すると、ヒール側の上方に配置されたホゼル部と反対の位置が重くなり、重心位置の適正化が図れ、好ましい。第３のウェイト材も同様にトウ側の後方に配置するのが好ましい。
【００４３】
このＦＲＰ体３０を成形し且つ金属体１０と一体化するには、ゴルフクラブヘッドの外形形状を有した金型を用意し、直交２方向に繊維を配向させた第１のプリプレグシート（未硬化の樹脂繊維複合シート）を該金型の内面に沿って配設する。この第１のプリプレグシートは、ＦＲＰ体３０の全外面を覆う位置に配置される。
【００４４】
次に、この第１のプリプレグシートの上に、一方向に繊維を配向させた第２のプリプレグシートを複数枚積層する。複数の第２のプリプレグシートは、繊維方向が交互となるように積層させる。この積層の途中で、トウ側のサイド部を構成するためのプリプレグシートの間に第３のウェイト材２３を挟み込む。
【００４５】
次に、第２のウェイト材２２を固着してあるが、第１のウェイト材２１及び円形プレート２６は装着してない金属体１０を金型内に配置する。
【００４６】
その後、環状部１８の開口を通して内部にガス圧を加えた状態で加熱し、樹脂を硬化させる。この際、ゴルフクラブヘッド内にナイロン等の樹脂袋を配置しておき、この袋内にガスを供給して膨らませ、プリプレグシートを圧迫して金型内面に密着させてもよい。
【００４７】
これにより、第７図のようにＦＲＰ体３０が成形されると共に、ＦＲＰ体３０の周縁部が金属体１０に密着する。このＦＲＰ体３０のトウ側のサイド部には、第８図のように第３のウェイト材２３が埋設されたものとなる。
【００４８】
成形終了後、脱型し、必要に応じゴルフクラブヘッドの内面に振動吸収層や打球音調整層を形成する。例えば、ポリイソブチレン等よりなる粘着剤を層状に形成することにより、ゴルフクラブヘッドのカラ鳴りが防止される。
【００４９】
次に、環状体１８に第１のウェイト材２１を螺じ込み、次いで、第１の円環形凹部１８ａにアルミ等の金属プレート２６を嵌着する。その後、このゴルフクラブヘッドの外面に必要に応じ研磨や塗装を施し、ゴルフクラブヘッド製品とする。
【００５０】
このゴルフクラブヘッド１にあっては、ロフト角は１４〜２５°好ましくは１５〜２１°、ヘッド体積は１００〜２３０ｃｃ好ましくは１１０〜２２０ｃｃである。ＦＲＰ体３０の重量はゴルフクラブヘッド１の全体の重量の６〜３０％特に７〜２５％とりわけ１５〜２０％となるようにＦＲＰ体３０、金属体１０（ウェイト材２１，２２を含む）の重量を決定するのが好ましい。
【００５１】
ウェイト材以外の金属体１０の構成材料としては、チタン合金、ステンレス、マルエージング鋼、銅合金、ジルコニウム合金等が好適であるが、中でもＴｉ−６Ａｌ−４Ｖなどのチタン合金が好適である。
【００５２】
なお、フェースプレートを鍛造又はプレス成形する場合、その材料はＴｉ−６Ａｌ−４Ｖ，Ｔｉ−１５Ｖ−３Ｃｒ−３Ｓｎ−３Ａｌ，Ｔｉ−２２Ｖ−４Ａｌなどのチタン合金（特にβ形のもの）が好ましい。なお、β形のものは、塑性加工後、熱処理して強度及び硬度を高くすることができる。
【００５３】
鋳造を行う場合、インベストメント鋳造が好適である。薄肉部分にも溶湯が十分に行き渡るようにするために、真空鋳造や遠心鋳造を行うのが好ましい。
【００５４】
第１及び第２のウェイト材は、比重が１０以上好ましくは１２以上のタングステンやタングステン合金よりなることが好適である。
【００５５】
第３のウェイト材は、かかる高比重金属の粉末を含有したゴム又は合成樹脂よりなることが好ましい。第３のウェイト材の比重は１０〜１７、特に１３〜１５が好ましい。この合成樹脂としては、ナイロン等の熱可塑性合成樹脂が好ましい。特にナイロン樹脂は金属粉の分散が良く好ましい。ゴム又は熱可塑性合成樹脂よりなる第３のウェイト材は、ＦＲＰ体３０を成形するときに、熱を受けて軟質になり、金型内面に倣った形状をとるようになる。
【００５６】
第３のウェイト材は、全体としての比重が１０〜１５特に１２〜１４程度であることが好ましい。
【００５７】
第３のウェイト材の厚みは３ｍｍ以下、例えば０．５〜３ｍｍ特に０．７〜２．２ｍｍ程度が好適である。
【００５８】
図示の実施の形態では、第３のウェイト材２３はＦＲＰ体３０内に埋設されているが、金属ソール部１３のトウ側の縁部とＦＲＰ体３０との間に介在されてもよい。
【００５９】
なお、金属体がチタン合金の場合、ウェイト材又はその粉末として上記以外にもステンレス鋼、銅合金、鉛などを用いてもよい。
【００６０】
第１のウェイト材２１は、ろう付や溶接によって環状体１８に固着されてもよい。  
第１のウェイト材２１の重量は３０ｇ以下特に３〜２０ｇ程度が好適である。  
第２のウェイト材２２の重量は２〜３０ｇ特に５〜２５ｇ程度が好適である。  
第３のウェイト材２３の重量は１〜２０ｇ特に２〜１８ｇ程度が好適である。
【００６１】
ゴルフクラブヘッドの全長（ゴルフクラブヘッドを水平面にソールして該水平面に投影した投影図における前後方向の最大長さ）をＬとした場合、第１のウェイト材２１の重心位置は前縁からＬの８５〜９７％特に８７〜９６％の範囲にあることが好ましく、第２のウェイト材２２の重心位置は前縁からＬの５〜９５％特に７〜９４％の範囲にあることが好ましく、第３のウェイト材２３の重心位置は前縁からＬの３〜３０％特に５〜２８％の範囲にあることが好ましい。
【００６２】
ゴルフクラブヘッドの最大幅（上記投影図におけるトウ・ヒール方向の最大長さ）の半分をＷとした場合、第２のウェイト材２２の重心位置とゴルフクラブヘッドの前後方向に延在する中心線との距離は、Ｗの５０〜８０％、特に５２〜７８％であることが好ましい。
【００６３】
ゴルフクラブヘッドの最大厚み、即ちソール面クラウン部との距離の最大値をＨとした場合、第３のウェイト材２３の重心のソール面最底部からの高さはＨの５〜４０％以下特に８〜３７％の範囲にあることが好ましい。
【００６４】
ＦＲＰ体３０等を成形するためのプリプレグとしては、クロス繊維プリプレグ、一方向繊維プリプレグ等のいずれでもよい。このプリプレグとしてＳＭＣプリプレグを使用した場合には、肉薄のＦＲＰ体３０を容易に形成することができる。また、プリプレグの樹脂内に金属粉などを添加して重量調整や、一部のプリプレグを利用して重心位置を調整することができる。
【００６５】
ＦＲＰ体３０は、プリプレグを３〜８枚程度積層して形成することが好ましい。
【００６６】
プリプレグ中の繊維としては弾性率が２０×１０３〜３０×１０３ｋｇ／ｍｍ２程度のカーボン繊維等が好適であるが、これに限定されない。
【００６７】
この繊維の配向を調整することによりクラウン部における前後方向の弾性率をトウ・ヒール方向よりも低くすることができる。例えば、クロス繊維プリプレグと一方向繊維プリプレグとを交互に積層し、この一方向繊維プリプレグの繊維配向方向をトウ・ヒール方向とする。
【００６８】
ＦＲＰ体３０の樹脂としてはエポキシなどの熱硬化性樹脂を用いることができる。なお、この熱硬化性樹脂に少量の熱可塑性樹脂を配合してもよく、これにより振動吸収性を改善することができる。
【００６９】
ＦＲＰ体の厚さは１〜３ｍｍ程度が好ましい。特に、クラウン部は１〜２ｍｍ程度とりわけ１〜１．５ｍｍ例えば約１．３ｍｍ程度が好ましい。
【００７０】
このゴルフクラブヘッド１は、ＦＲＰ体３０の重量が適正であり、スイングし易い。また、重心深度が深いと共に、第２及び第３のウェイト材２２，２３を設けているため、トウ・ヒール方向のスイートエリアも大きいと共に、重心配置の設計上の自由度が大きい。この第３のウェイト材２３がＦＲＰ体３０内に埋設されているので、美観が良好である。第１のウェイト材２１も金属プレート２６で覆われており、美観が良好である。なお、金属プレート２６の代わりに樹脂を用いてもよい。
【００７１】
本発明では、ＦＲＰ体３０と金属体１０との結合力を高めるために、第９，１０，１１図のような構成を採用してもよい。
【００７２】
第９図では、ＦＲＰ体３０の内面に金属体１０（この場合は金属サイド部１４）の端面に当接する凸部３１を設けている。
【００７３】
第１０図では、ＦＲＰ体３０の内面に金属体１０（この場合は金属サイド部１４）の端縁を挟持するためのオーバーレイ部３２を設けている。
【００７４】
第１１図では、金属体１０（この場合は金属サイド部１４）に凹所１４Ａを設け、この凹所１４Ａに接着剤３３を充填することにより、ＦＲＰ体３０と金属サイド部１４とを接着している。
【図面の簡単な説明】
【００７５】
【図１】実施の形態に係るゴルフクラブヘッドの斜視図である。
【図２】第１図のゴルフクラブヘッドの金属体の前方からの斜視図である。
【図３】第１図のゴルフクラブヘッドの金属体の後方からの斜視図である。
【図４】第１図のゴルフクラブヘッドの金属体のヒール側からの側面図である。
【図５】第１図のゴルフクラブヘッドの金属体の平面図である。
【図６】第６図（ａ）は金属体１０のソール側からの斜視図、第６図（ｂ）は第６図（ａ）のＢ−Ｂ線断面図である。
【図７】第７図（ａ）はゴルフクラブヘッドのソール側からの斜視図、第７図（ｂ）は第７図（ａ）のＢ−Ｂ線断面図である。
【図８】第１図のVIII−VIII線断面図である。
【図９】別の実施の形態を示す断面図である。
【図１０】別の実施の形態を示す断面図である。
【図１１】別の実施の形態を示す断面図である。
【符号の説明】
【００７６】
１  ゴルフクラブヘッド
２  フェース部
３  ソール部
４  サイド部
５  クラウン部
６  ホゼル部
１０  金属体
１３  金属ソール部
１４  金属サイド部
１５  金属クラウン周部
１８  環状体
２１  第１のウェイト材
２２  第２のウェイト材
２３  第３のウェイト材
２６  金属プレート
３０  ＦＲＰ体
【図１】
2006130065.tif 000003
【図２】
2006130065.tif 000004
【図３】
2006130065.tif 000005
【図４】
2006130065.tif 000006
【図５】
2006130065.tif 000007
【図６】
2006130065.tif 000008
【図７】
2006130065.tif 000009
【図８】
2006130065.tif 000010
【図９】
2006130065.tif 000011
【図１０】
2006130065.tif 000012
【図１１】
2006130065.tif 000013